(57)【特許請求の範囲】
【請求項１】
車両前後方向における位置が、縦置き搭載されるエンジンの出力軸に接続される発進デバイスと変速機構部との間に配置され、前記変速機構部の出力によって車幅方向に沿った回転軸回りに回転駆動される左側ドライブギア及び右側ドライブギアと、
前記左側ドライブギア及び前記右側ドライブギアとそれぞれ噛合しかつ少なくとも一部が前記発進デバイスの側部に配置され、左右車輪に駆動力を伝達するドライブシャフトが接続される左側ドリブンギア及び右側ドリブンギアと
を有する車両用最終減速装置を収容するケースの構造であって、
前記ケースは、前記発進デバイスが収容される空間部の左右側壁にわたして設けられた柱状部が形成され、
前記柱状部は、前記空間部の前記エンジンとは反対側の隔壁から前記エンジン側にリブ状に突き出して形成され、車幅方向にほぼ沿って伸びるとともに、前記エンジン側の突端部近傍の領域は前記左側ドリブンギア及び前記右側ドリブンギアの回転中心軸を包含し、前記左側ドリブンギア及び前記右側ドリブンギアから回転軸方向に沿って入力されるスラスト力が負荷されること
を特徴とする車両用最終減速装置のケース構造。
【請求項２】
前記柱状部は、前記左側ドリブンギアを支持するベアリングと前記右側ドリブンギアを支持するベアリングとの間で潤滑油を循環させる連通孔が形成されること
を特徴とする請求項１に記載の車両用最終減速装置のケース構造。
【請求項３】
前記ケースが前記柱状部とともに左右に分割されるとともに、前記柱状部の内部に左右のケース部材を締結するボルトが挿入されるボルト孔が形成されること
を特徴とする請求項１又は請求項２に記載の車両用最終減速装置のケース構造。
【発明の詳細な説明】
【技術分野】
【０００１】
本発明は、自動車等の車両用最終減速装置のケース構造に関し、特にクラッチ等の発進デバイスを挟んで配置された左右のドリブンギアから入力されるスラスト力に対する剛性を向上したものに関する。
【背景技術】
【０００２】
自動車等の車両においては、エンジン等の出力を減速又は増速する変速機と、変速機の出力を減速して各車輪に伝達する最終減速装置を備えている。
エンジン及び変速機の回転軸を車両の前後方向にほぼ沿って配置する縦置きレイアウトの場合、車両の前方側からエンジン、クラッチ等の発進デバイス、フロントディファレンシャルを順次配列するとともに、フロントディファレンシャルをトランスミッションケースに内蔵した構成が知られている。
しかし、このような構成をとる場合、フロントディファレンシャルの搭載位置がエンジンに対して後退することから、フロントアクスルをエンジンに対して前進させ、ホイールベースを伸ばして走行安定性を向上させることが難しい。
【０００３】
これに対して、トランスミッションケースとは別体のケースにフロントディファレンシャルを収容してこれをエンジンの下部や側方に配置し、ジョイントを含むフロントプロペラシャフトによって駆動することも知られている。
しかし、この場合、フロントディファレンシャルの配置の設計自由度は高くなるが、構造が複雑となって部品点数も増加し、コストや重量が増加してしまう。
【０００４】
さらに、フロントディファレンシャルをトランスミッションケース内において発進デバイスの前に配置し、伝達歯車や斜行の駆動軸によって駆動することも知られている。
これによれば、フロントディファレンシャルをエンジンに隣接して配置することができるためホイールベースの延長効果は高いが、エンジンのクランク軸と発進デバイスとが離れてしまうため、軸心ズレを許容しながら動力伝達を行ういわゆるフレキシブルプレートの信頼性確保が難しく、コストや質量面で問題が生じる懸念がある。
【０００５】
また、例えば特許文献１には、リアエンジン後輪駆動をベースとした４輪駆動車用のトランスアクスルにおいて、ディファレンシャル機構よりも後方側にドライブシャフトが接続される左右ジョイント部をそれぞれ設けるとともに、左右それぞれに設けられた減速歯車列を用いてこれらの間の動力伝達を行う技術が開示されている。
【先行技術文献】
【特許文献】
【０００６】
【特許文献１】特開昭６４−７０２２９号公報
【発明の概要】
【発明が解決しようとする課題】
【０００７】
特許文献１に記載された技術においては、左右のドライブシャフトが接続されるギア軸はトランスミッションケースの左右の壁面部にベアリングを介して支持されており、これらのギア軸の間で例えばギア反力等により同軸上に対向するようにスラスト力が発生した場合、トランスミッションケースのたわみが生じ、ギア音の悪化や強度耐久性の低下といった問題が懸念される。
本発明の課題は、発進デバイスを挟んで配置された左右のドリブンギアから入力されるスラスト力に対する剛性を効果的に向上させた車両用最終減速装置のケース構造を提供することである。
【課題を解決するための手段】
【０００８】
本発明は、以下のような解決手段により、上述した課題を解決する。
請求項１の発明は、車両前後方向における位置が、縦置き搭載されるエンジンの出力軸に接続される発進デバイスと変速機構部との間に配置され、前記変速機構部の出力によって車幅方向に沿った回転軸回りに回転駆動される左側ドライブギア及び右側ドライブギアと、前記左側ドライブギア及び前記右側ドライブギアとそれぞれ噛合しかつ少なくとも一部が前記発進デバイスの側部に配置され、左右車輪に駆動力を伝達するドライブシャフトが接続される左側ドリブンギア及び右側ドリブンギアとを有する車両用最終減速装置を収容するケースの構造であって、前記ケースは、前記発進デバイスが収容される空間部の左右側壁にわたして設けられた柱状部が形成され、前記柱状部は、前記空間部の前記エンジンとは反対側の隔壁から前記エンジン側にリブ状に突き出して形成され、車幅方向にほぼ沿って伸びるとともに、前記エンジン側の突端部近傍の領域は前記左側ドリブンギア及び前記右側ドリブンギアの回転中心軸を包含し、前記左側ドリブンギア及び前記右側ドリブンギアから回転軸方向に沿って入力されるスラスト力が負荷されることを特徴とする車両用最終減速装置のケース構造である。
【０００９】
請求項２の発明は、前記柱状部は、前記左側ドリブンギアを支持するベアリングと前記右側ドリブンギアを支持するベアリングとの間で潤滑油を循環させる連通孔が形成されることを特徴とする請求項１に記載の車両用最終減速装置のケース構造である。
請求項３の発明は、前記ケースが前記柱状部とともに左右に分割されるとともに、前記柱状部の内部に左右のケース部材を締結するボルトが挿入されるボルト孔が形成されることを特徴とする請求項１又は請求項２に記載の車両用最終減速装置のケース構造である。
【発明の効果】
【００１０】
本発明によれば、以下の効果を得ることができる。
（１）左右のドリブンギアからケースに入力されるスラスト力が柱状部に伝達されることによって、左右からのスラスト力が相互に打ち消されてケースに作用するモーメントが最小限に抑えられ、ケースの剛性を向上することができる。これによって、ギア音の悪化を抑制するとともに、ケースの強度耐久性を確保することができる。
（２）柱状部は左側ドリブンギア及び右側ドリブンギアの回転中心軸を包含することによって、対向するスラスト力によって柱状部に作用する曲げモーメントを抑制し、上述した効果をより確実に発揮することができる。
（３）柱状部は左側ドリブンギアを支持するベアリングと右側ドリブンギアを支持するベアリングとの間で潤滑油を循環させる連通孔が形成されることによって、柱状部の内部を潤滑油路として活用することができ、潤滑系の設計自由度を高めてオイルバランスを容易に調整することができる。
（４）ケースが柱状部とともに左右に分割されるとともに、柱状部の内部に左右のケース部材を締結するボルトが挿入されるボルト孔が形成されることによって、柱状部を左右のケース部材を締結するためのボルトボスとして利用することが可能となり、左右のケース部材の結合剛性を向上できる。
【図面の簡単な説明】
【００１１】
【図１】本発明を適用した車両用最終減速装置のケース構造の実施例１におけるトランスミッションを鉛直面で切って見た断面図である。
【図２】図１のII−II部矢視断面図である。
【図３】本発明の比較例である車両用最終減速装置のケース構造におけるトランスミッションの断面図である。
【図４】本発明の車両用最終減速装置のケース構造の実施例２におけるトランスミッションの断面図である。
【図５】本発明の車両用最終減速装置のケース構造の実施例３におけるトランスミッションの断面図である。  なお、図３乃至図５は、図２に相当する断面を示している。
【発明を実施するための形態】
【００１２】
本発明は、発進デバイスを挟んで配置された左右のドリブンギアから入力されるスラスト力に対する剛性を効果的に向上させた車両用最終減速装置のケース構造を提供する課題を、クラッチ室後部隔壁から張り出して左右のクラッチ室の側壁間を連結し、左右ドリブンギアの間の対向するスラスト力が負荷される柱状部を設けることによって解決した。
【実施例１】
【００１３】
以下、本発明を適用した車両用最終減速装置のケース構造の実施例１について説明する。実施例１の車両用最終減速装置のケース構造は、例えば、縦置き配置のエンジンを搭載して４輪を駆動する乗用車等の自動車のトランスミッションに設けられるものである。
図１は、実施例１のトランスミッションを鉛直面で切って見た断面図である。
トランスミッション１は、変速機、ＡＷＤトランスファ、最終減速装置等の各種駆動系装置を共通のトランスミッションケース１０内に収容してアセンブリ化（トランスアクスル化）したものである。
トランスミッション１は、トランスミッションケース１０、クラッチ２０、変速機構部３０、ＡＷＤトランスファ４０、最終減速装置１００等を備えて構成されている。
【００１４】
トランスミッションケース１０は、トランスミッション１内の各構成要素を収容する筐体であって、例えばアルミニウム系合金による鋳造等によって形成されている。
図２に示すように、トランスミッションケース１０は、左右２つ割に構成された左側ケース１１及び右側ケース１２を備えている。トランスミッションケース１０の前端部（エンジン側の端部）において、左側ケース１１と右側ケース１２との間には、クラッチ２０が収容される空間部であるクラッチ室Ｓ１が形成されている。
【００１５】
また、左側ケース１１及び右側ケース１２は、それぞれ後述するドライブギア１５０，１６０及びドリブンギア１７０，１８０をカバーする左側カバー１３及び右側カバー１４を備えている。
さらに、左側ケース１１及び右側ケース１２は、クラッチ２０を収容するクラッチ室Ｓ１内に突き出しかつ車幅方向に沿って伸びた左側柱状部１５及び右側柱状部１６を備えているが、これについては後に詳しく説明する。
トランスミッションケース１０は、後述する最終減速装置１００を収容し、本発明にいう最終減速装置のケースとして機能する。
【００１６】
クラッチ２０は、図示しないエンジンの出力を変速機構部３０に伝達するとともに、ドライバによるクラッチ操作に応じて動力伝達を切断する発進デバイスである。クラッチ２０は、フライホイール２１、クラッチディスク２２、クラッチカバー２３、レリーズベアリング２４、レリーズシリンダ２５、クラッチフォーク２６等を備えて構成されている。
【００１７】
フライホイール２１は、図示しないエンジンのクランクシャフト後端部に固定された円盤状の部材である。
クラッチディスク２２は、変速機構部３０のドライブシャフト３１の前端部にスプライン結合された円盤状の部材であって、その両表面部には摩擦材であるフェーシングが固定されている。
クラッチカバー２３は、ダイアフラムスプリングを備え、フライホイール２１とともにクラッチディスク２２を挟持するものである。
レリーズベアリング２４は、ドライバによるクラッチ操作時にクラッチカバー２３のダイアフラムスプリングの内周縁部を軸方向に押圧して動力伝達を切断する部材である。
レリーズシリンダ２５は、クラッチ操作に応じて作動する図示しないクラッチマスタシリンダが発生するフルード圧によって駆動されるスレーブシリンダである。
クラッチフォーク２６は、レリーズシリンダ２５の動きをレリーズベアリング２４に伝達する部材である。
【００１８】
変速機構部３０は、複数のギア列から１つをドライバの変速操作によって選択し、選択されたギア列を用いて、エンジンの出力回転を減速又は増速するものである。実施例１において、変速機構部３０は、例えば、前進６速及び後進１速を有する手動変速機である。
変速機構部３０は、ドライブシャフト３１、ドリブンシャフト３２等を備えて構成されている。
ドライブシャフト３１は、クラッチ２０を介してエンジンの出力回転が入力される回転軸であって、車両の前後方向にほぼ沿って延びている。
ドリブンシャフト３２は、ドライブシャフト３１の下側に、ドライブシャフト３１と平行に配置された回転軸である。
ドライブシャフト３１とドリブンシャフト３２の間には、これらの間で動力伝達を行う各変速段のギア列が設けられている。これらのギア列は、例えばドライバが変速操作を行うシフトレバーに連動するハブスリーブ等の係合部材によって、選択された１つのギア列の係合を完成させるようになっている。
ドリブンシャフト３２は、中空の円筒状に形成され、その内径側には後述するドライブピニオンシャフト１１０が挿入される。
【００１９】
ＡＷＤトランスファ４０は、変速機構部３０から出力される駆動力を、前輪側及び後輪側に分配するものである。ＡＷＤトランスファ４０は、ドリブンシャフト３２の後端部に接続されている。
ＡＷＤトランスファ４０は、べベルギア式のセンターディファレンシャル４１、及び、その差動制限用のビスカスＬＳＤ４２等を備えている。
【００２０】
最終減速装置１００は、ＡＷＤトランスファ４０の前輪側出力を減速して図示しない左右のドライブシャフトに伝達するものである。左右のドライブシャフトは、両端部に等速ユニバーサルジョイントを有する回転軸であって、その先端部は左右の前輪ハブに接続され、前輪への動力伝達を行う。
【００２１】
図２に示すように、最終減速装置１００は、ドライブピニオンシャフト１１０、リングギア１２０、ディファレンシャルケース１３０、ディファレンシャルギア１４０、左側ドライブギア１５０、右側ドライブギア１６０、左側ドリブンギア１７０、右側ドリブンギア１８０等を備えて構成されている。
【００２２】
ドライブピニオンシャフト１１０は、軸部１１１及びその前端部に設けられたピニオンギア部１１２を一体に形成したものである。
軸部１１１は、変速機構部３０のドリブンシャフト３２内に挿入されている。軸部１１１の後端部は、ＡＷＤトランスファ４０の前輪側出力部に接続されている。
ピニオンギア部１１２は、リングギア１２０を駆動するものである。
また、ドライブピニオンシャフト１１０の前端部近傍には、軸心潤滑孔１１３が形成されている。
【００２３】
リングギア１２０は、ドライブピニオンシャフト１１０のピニオンギア部１１２によって、車幅方向に沿った回転中心軸回りに回転駆動される歯車である。すなわち、リングギア１２０はドライブピニオンシャフト１１０と協働して直交軸減速機を構成する。
【００２４】
ディファレンシャルケース１３０は、ほぼ円筒状に形成されてリングギア１２０に固定され、その内径側にディファレンシャルギア１４０を収容する部材である。
ディファレンシャルケース１３０は、本体部１３１、左側円筒部１３２、右側円筒部１３３を一体に形成したものである。
本体部１３１は、その内径側にディファレンシャルギア１４０を収容する部分であって、他の部分よりも外径側に張り出して形成されている。本体部１３１は、その外径がリングギア１２０の内径よりも大きくされ、リングギア１２０に対して回転中心軸方向（車幅方向）左側に離間して配置されている。
左側円筒部１３２及び右側円筒部１３３は、本体部の左右側端部からそれぞれ回転中心軸方向に沿って突き出して形成されている。
右側円筒部１３３の突端部（車幅方向外側の端部）近傍には、外径側に張り出したフランジ１３４が設けられ、リングギア１２０はこのフランジ１３４に複数のボルトを用いて締結されている。
ディファレンシャルケース１３０は、左側円筒部１３２及び右側円筒部１３３の突端部にそれぞれ設けられたテーパローラベアリング１３５，１３６によって、トランスミッションケース１０に支持されている。
【００２５】
ディファレンシャルギア１４０は、車両の旋回等によって生じる左右前輪の差回転を吸収するベベルギア式の差動機構であって、上述したディファレンシャルケース１３０の本体部１３１の内径側に配置されている。
【００２６】
左側ドライブギア１５０及び右側ドライブギア１６０は、それぞれディファレンシャルケース１３０の左右に、これと同心に設けられている。左側ドライブギア１５０及び右側ドライブギア１６０は、それぞれ車幅方向内側に突き出した軸部１５１，１６１を介してディファレンシャルギア１４０の左右出力部に接続されている。
軸部１５１，１６１は、それぞれディファレンシャルケース１３０の左側円筒部１３２及び右側円筒部１３３に挿入されるが、軸部１５１，１６１の外周面と左側円筒部１３２及び右側円筒部１３３の内周面との間には、オイルが流動可能でありまたディファレンシャルケース１３０のデフレクションによる接触が実質的にない程度の空隙（例えば０．２ｍｍ程度）が設けられている。
左側ドライブギア１５０及び右側ドライブギア１６０は、それぞれそのギア部を挟んだ両側に設けられたテーパローラベアリング１５２，１５３，１６２，１６３によってトランスミッションケース１０に支持されている。
【００２７】
左側ドリブンギア１７０及び右側ドリブンギア１８０は、それぞれ左側ドライブギア１５０及び右側ドライブギア１６０によって駆動され、これらと協働して左右ドライブギアセットを構成するものである。左側ドリブンギア１７０及び右側ドリブンギア１８０の回転中心軸は、左側ドライブギア１５０及び右側ドライブギア１６０の回転中心軸に対して車両前方側に設けられている。また、左側ドリブンギア１７０及び右側ドリブンギア１８０は、クラッチ２０の左右側部にそれぞれ配置されている。
左側ドリブンギア１７０及び右側ドリブンギア１８０は、その内径側に図示しないドライブシャフトのスプライン軸が挿入されるスプライン穴１７１，１８１が形成されている。
左側ドリブンギア１７０及び右側ドリブンギア１８０は、ギア部を挟んだ両側に設けられたテーパローラベアリング１７２，１７３，１８２，１８３によって、トランスミッションケース１０の左側ケース１１及び右側ケース１２におけるクラッチ室Ｓ１の側壁部にそれぞれ支持されている。
また、トランスミッションケース１０の左側ケース１１及び右側ケース１２には、左側ドリブンギア１７０及び右側ドリブンギア１８０の車幅方向内側に設けられた空間部Ｓ２、Ｓ３がそれぞれ形成されている。
【００２８】
以下、上述したトランスミッションケース１０の左側柱状部１５及び右側柱状部１６について、より詳細に説明する。
左側柱状部１５及び右側柱状部１６は、クラッチ室Ｓ１の後部隔壁からエンジン側にリブ状に張り出して、この隔壁と一体に形成されている。左側柱状部１５及び右側柱状部１６は、それぞれ車幅方向にほぼ沿って伸びるとともに、そのエンジン側の突端部（稜線部）近傍の領域は、左側ドリブンギア１７０及び右側ドリブンギア１８０の回転中心軸を包含している。左側柱状部１５及び右側柱状部１６は、その車幅方向内側の合わせ面部が平坦に形成され、これらの合わせ面部は左側ケース１１及び右側ケース１２を締結した状態で当接するようになっている。
左側柱状部１５及び右側柱状部１６は、その内部に車幅方向にほぼ沿って伸びた孔部が形成されており中空となっている。これらの孔部は、上述した空間部Ｓ２、Ｓ３とそれぞれ連通している。また、これらの孔部は、左側柱状部１５及び右側柱状部１６の合わせ面部ではそれぞれ閉塞されている。
【００２９】
次に、上述した実施例１の効果を、以下説明する本発明の比較例と対比して説明する。なお、比較例及び後述する実施例２、実施例３において、従前の実施例と実質的に同様の箇所については同じ符号を付して説明を省略し、主に相違点について説明する。
図３に示す比較例のトランスミッションは、トランスミッションケース１０における左側柱状部１５及び右側柱状部１６が設けられていない点を除いて、実質的に実施例１のトランスミッションと同様の構成を備えている。
【００３０】
比較例のトランスミッションにおいては、例えば駆動時のギア反力に起因して、左側ドリブンギア１７０及び右側ドリブンギア１８０からトランスミッションケース１０に軸方向（スラスト方向）の荷重が対向するように負荷された際に、トランスミッションケース１０におけるクラッチ室Ｓ１の左右側壁等のたわみが生じやすく、ギア音の悪化やトランスミッションケース１０の強度耐久性の低下が懸念される。
【００３１】
これに対し、実施例１のトランスミッションにおいては、左側柱状部１５及び右側柱状部１６によってクラッチ室Ｓ１の左右の側壁を連結するとともに、これらの柱状部に左側ドリブンギア１７０及び右側ドリブンギア１８０のスラスト力を伝達することによって、対向するギア反力を、各柱状部を介して相互に打ち消し、モーメントの発生を最小限に抑えてトランスミッションケース１０の剛性を向上し、左側ドリブンギア１７０及び右側ドリブンギア１８０の支持剛性を高めることができる。これによって、ギア音の悪化を抑制し、トランスミッションケース１０の強度耐久性を確保することができる。
【実施例２】
【００３２】
次に、本発明を適用した車両用最終減速装置のケース構造の実施例２について説明する。
図４に示すように、実施例２のトランスミッションは、トランスミッションケース１０の左側柱状部１５及び右側柱状部１６の内部に、左右の空間部Ｓ２、Ｓ３間を連通させるオイル孔１７が形成されている。
以上説明した実施例２によれば、上述した実施例１の効果と同様の効果に加えて、柱状部の内部をオイルを循環させる潤滑油路として活用することができ、潤滑系の設計自由度が高まりオイルバランスの調整が容易となる。
【実施例３】
【００３３】
次に、本発明を適用した車両用最終減速装置のケース構造の実施例３について説明する。
図５に示すように、実施例３のトランスミッションは、トランスミッションケース１０の左側柱状部１５及び右側柱状部１６の内部に、右側柱状部１６側からボルトＢが挿入される貫通孔であるボルト孔が形成されている。ボルトＢは、左側柱状部１５側から突き出した突端部にナットＮを結合することによって、左側柱状部１５と右側柱状部１６とを締結する。ナットＮは、左側ケース１１の空間部Ｓ２内に配置され、ボルトＢの頭部は、右側ケース１２の空間部Ｓ３内に配置される。
すなわち、左側柱状部１５及び右側柱状部１６は、左側ケース１１及び右側ケース１２を締結する複数のボルトのうち一部のボルトＢによって締結されるボルトボスとして機能している。
以上説明した実施例３によれば、上述した実施例１の効果と同様の効果に加え、柱状部をボルトボスとして活用することによって、左側ケース１１と右側ケース１２との結合剛性を高めることができる。
【００３４】
（変形例）
本発明は、以上説明した実施例に限定されることなく、種々の変形や変更が可能であって、それらも本発明の技術的範囲内である。
（１）トランスミッションケースに設けられる柱状部の構成や形状、個数は上述した各実施例の構成に限定されず、適宜変更することができる。例えば、柱状部は複数設けてもよい。また、柱状部はクラッチ室の隔壁と一体化したものに限らず、別部材であってもよい。
（２）上述した各実施例では、発進デバイスはクラッチ装置であって、変速機構部は手動変速機であったが、本発明はこれに限定されず、適宜変更することができる。例えば、変速機構部は複数列のプラネタリギアセットを有するステップ式自動変速機やベルト式、チェーン式、トロイダル式等のＣＶＴであってもよく、この場合、発進デバイスはトルクコンバータであってもよい。また、変速機構部は手動変速機ベースの自動変速機やＤＣＴであってもよい。
（３）各実施例において、車両は例えばＡＷＤ車であったが、本発明は、エンジン及びトランスアクスルを縦置き搭載するＦＷＤ車又はＲＷＤ車（リアエンジン車）にも適用することができる。
【符号の説明】
【００３５】
１    トランスミッション          １０    トランスミッションケース
１１    左側ケース                  １２    右側ケース
１３    左側カバー                  １４    右側カバー
１５    左側柱状部                  １６    右側柱状部
１７    オイル孔
２０    クラッチ                    ２１    フライホイール
２２    クラッチディスク            ２３    クラッチカバー
２４    レリーズベアリング          ２５    レリーズシリンダ
２６    クラッチフォーク            ３０    変速機構部
３１    ドライブシャフト            ３２    ドリブンシャフト
４０    ＡＷＤトランスファ          ４１    センターディファレンシャル
４２    ビスカスＬＳＤ            １００    最終減速装置
１１０    ドライブピニオンシャフト  １１１    軸部
１１２    ピニオンギア部            １１３    軸心潤滑孔
１２０    リングギア                １３０    ディファレンシャルギアケース
１３１    本体部
１３２    左側円筒部                １３３    右側円筒部
１３４    フランジ                  １３５，１３６    テーパローラベアリング
１４０    ディファレンシャルギア
１５０    左側ドライブギア          １５１    軸部
１５２，１５３    テーパローラベアリング
１６０    右側ドライブギア          １６１    軸部
１６２，１６３    テーパローラベアリング
１７０    左側ドリブンギア          １７１    スプライン穴
１７２，１７３    テーパローラベアリング
１８０    右側ドリブンギア          １８１    スプライン穴
１８２，１８３    テーパローラベアリング
Ｓ１    クラッチ室            Ｓ２，Ｓ３    空間部
Ｂ    ボルト                        Ｎ    ナット
【図１】
0005466925.tif 000002
【図２】
0005466925.tif 000003
【図３】
0005466925.tif 000004
【図４】
0005466925.tif 000005
【図５】
0005466925.tif 000006